(57)【特許請求の範囲】
【請求項１】
棒状部と、
前記棒状部の一端側に形成されたフック部と、
前記棒状部の他端側に形成された紐取付部であり、前記棒状部の延びる方向に延びる支持部と、前記支持部の延びる方向に対して直交する方向の両側に張り出す肩部と、前記肩部の両先端部から前記フック部側へ向かって互いに離れる方向へそれぞれ延びる腕部と、前記腕部の前記フック部側の先端部から前記支持部へ向かってそれぞれ延びる鉤部と、前記肩部の張り出し方向および前記腕部の延びる方向に沿う前記腕部の面の少なくとも１面に前記腕部の延びる方向に沿う方向へ延びるリブとを備える紐取付部と
を有する植物用支持具。
【請求項２】
前記紐取付部は、前記棒状部と前記支持部との間に形成された略Ｃ字状の紐通し部を有する請求項１記載の植物用支持具。
【請求項３】
前記棒状部は、前記紐取付部よりも薄く、前記肩部の張り出し方向および前記腕部の延びる方向に沿う面が広い帯板状の部分を有する請求項１または２に記載の植物用支持具。
【発明の詳細な説明】
【技術分野】
【０００１】
本発明は、トマト、キュウリ、ナス、メロン、花類や果樹等の植物の茎、苗、蔓や幹等（以下、「茎等」と称することがある。）が成長する際に、茎等が自重で地面側に垂れないようにする植物用支持具に関する。
【背景技術】
【０００２】
トマト、キュウリ、ナス、メロン、花類や果樹等の植物の茎、苗、蔓や幹等は、成長するにつれ、上に延びて行こうとするが、支えがないとその自重で垂れ下がり、地面に付いてそこから虫が付いて食べられたり、病気が発生したりする。例えば、図１４に示すように、トマト等の実Ｐ１が大きく育ってくると、実Ｐ１が複数付いている房Ｐ２の付け根Ｐ３が割れたり折れたりする。
【０００３】
そこで、従来、図１５に示すように、茎Ｐ４の枝Ｐ５と房Ｐ２とを紐やテープ等Ｔ１で吊り上げたり、図１６に示すように針金Ｔ２でフックを作り、枝Ｐ５と房Ｐ２とに引っ掛けたり、図１７（Ａ），（Ｂ）に示すようなプラスチック製の房吊りフックＴ３，Ｔ４を使ったりして、房Ｐ２の付け根Ｐ３（図１４参照。）が割れたり折れたりしないようにしている（房吊りフックＴ４については、特許文献１参照。）。
【先行技術文献】
【特許文献】
【０００４】
【特許文献１】特許第５５９６０７６号公報
【発明の概要】
【発明が解決しようとする課題】
【０００５】
図１５に示すように、紐やテープ等Ｔ１を枝Ｐ５に掛けて、トマトの房Ｐ２の間Ｐ６に通して結ぶ場合、手間が掛かるし、枝Ｐ５と房Ｐ２との間隔（節間）Ｐ７がバラバラなので、紐やテープ等Ｔ１を節間Ｐ７に合わせた長さに切りながら房吊り作業を行わなければならないという問題がある。
【０００６】
また、図１６に示すように、針金Ｔ２で房Ｐ２を吊り上げる場合、針金Ｔ２を２５ｃｍ前後の長さに切っておき、節間Ｐ７の枝Ｐ５と房Ｐ２との幅に合わせて房Ｐ２の間Ｐ６に通すフック部Ｔ２−１と枝Ｐ５に欠けるフック部Ｔ２−２とを指で曲げて作りながら房吊り作業を行う必要があり、手間が掛かるという問題がある。
【０００７】
また、図１７に示すようなプラスチック製房吊りフックＴ３，Ｔ４等を用いる場合、図１８に示すように、房吊りフックＴ３のフック部Ｔ３−１に房Ｐ２を掛けて吊り上げた状態で、房吊りフックＴ３の紐留部Ｔ３−２を斜めに倒しながら、図１９に示すように紐留部Ｔ３−２を誘引紐Ｒ１に掛けて留めるが、誘引紐Ｒ１は垂直に引っ張られてテンションが掛かった状態であるため紐留部Ｔ３−２を掛けにくく、指先に力を込める必要があり、作業が難しいという問題がある。また、誘引紐Ｒ１にテンションが掛かっていない場合には、房Ｐ２の重量によって房吊りフックＴ３がずり下がるため、使用できないという問題がある。
【０００８】
そこで、本発明においては、テンションが掛かっていない誘引紐に対して取り付けた際にずり下がることがない植物用支持具を提供することを目的とする。
【課題を解決するための手段】
【０００９】
本発明の植物用支持具は、棒状部と、棒状部の一端側に形成されたフック部と、棒状部の他端側に形成された紐取付部であり、棒状部の延びる方向に延びる支持部と、支持部の延びる方向に対して直交する方向の両側に張り出す肩部と、肩部の両先端部からフック部側へ向かって互いに離れる方向へそれぞれ延びる腕部と、腕部のフック部側の先端部から支持部へ向かってそれぞれ延びる鉤部と、肩部の張り出し方向および腕部の延びる方向に沿う腕部の面の少なくとも１面に腕部の延びる方向に沿う方向へ延びるリブとを備える紐取付部とを有するものである。
【００１０】
本発明の植物用支持具によれば、棒状部の一端側に形成されたフック部を植物の茎等に引っ掛け、上から垂れたテンションが掛かっていない誘引紐を、棒状部の他端側に形成された紐取付部の両側に張り出した肩部と腕部と鉤部との間に支持部を跨ぐように入れ、さらにこの誘引紐を上から垂れた誘引紐と紐取付部との間に回してリブの下方へ入れると、フック部に引っ掛けられた植物の重さにより上から垂れた誘引紐が引っ張られ、リブの下方へ入れた誘引紐をリブとの間で押さえ付けるので、本発明の植物用支持具が植物の重さによりずり下がることがない。
【００１１】
なお、テンションが掛かっている誘引紐の場合には、紐取付部が、棒状部と支持部との間に形成された略Ｃ字状の紐通し部を有することが望ましい。これにより、棒状部の一端側に形成されたフック部を植物の茎等に引っ掛け、テンションが掛かっている誘引紐を棒状部と支持部との間に形成された略Ｃ字状の紐通し部に入れ、さらにこの誘引紐を支持部に巻き付けると、誘引紐のテンションが支持部に巻き付けられた誘引紐を締め付け、本発明の植物用支持具が固定される。
【００１２】
また、棒状部は、紐取付部よりも薄く、肩部の張り出し方向および腕部の延びる方向に沿う面が広い帯板状の部分を有することが望ましい。これにより、棒状部は、この帯板状の部分を指先で摘まみやすく、また、この帯板状の部分が紐取付部よりも薄いため、この帯板状の部分を摘まんだ際に指先が紐取付部との境界部分に掛かるようになり、誘引紐を取り付ける際に滑りにくく、作業性が向上する。
【発明の効果】
【００１３】
（１）棒状部と、棒状部の一端側に形成されたフック部と、棒状部の他端側に形成された紐取付部であり、棒状部の延びる方向に延びる支持部と、支持部の延びる方向に対して直交する方向の両側に張り出す肩部と、肩部の両先端部からフック部側へ向かって互いに離れる方向へそれぞれ延びる腕部と、腕部のフック部側の先端部から支持部へ向かってそれぞれ延びる鉤部と、肩部の張り出し方向および腕部の延びる方向に沿う腕部の面の少なくとも１面に腕部の延びる方向に沿う方向へ延びるリブとを備える紐取付部とを有する植物用支持具によれば、棒状部の一端側に形成されたフック部を植物の茎等に引っ掛け、テンションが掛かっていない誘引紐を紐取付部に取り付けるだけで容易に作業を行うことが可能であり、植物の重量により植物用支持具がずり下がることもない。
【００１４】
（２）紐取付部が、棒状部と支持部との間に形成された略Ｃ字状の紐通し部を有する構成により、棒状部の一端側に形成されたフック部を植物の茎等に引っ掛け、テンションが掛かっている誘引紐を略Ｃ字状の紐通し部に入れ、支持部に巻き付けるだけで容易に作業を行うことが可能となる。
【００１５】
（３）棒状部が紐取付部よりも薄く、肩部の張り出し方向および腕部の延びる方向に沿う面が広い帯板状の部分を有することにより、帯板状の部分を摘まんだ際に指先が紐取付部との境界部分に掛かるようになり、誘引紐を取り付ける際に滑りにくく、作業性が向上する。
【図面の簡単な説明】
【００１６】
【図１】本発明の実施の形態における植物用支持具の斜視図である。
【図２】図１の植物用支持具の使用例を示す説明図である。
【図３】図２の植物用支持具付近の拡大図である。
【図４】図２の使用例における植物用支持具の取り付け手順を示す説明図である。
【図５】図２の使用例における植物用支持具の取り付け手順を示す説明図である。
【図６】図２の使用例における植物用支持具の取り付け手順を示す説明図である。
【図７】図２の使用例における植物用支持具の取り付け手順を示す説明図である。
【図８】図２の使用例における植物用支持具の取り付け手順を示す説明図である。
【図９】図１の植物用支持具の別の使用例を示す説明図である。
【図１０】図９の使用例における植物用支持具の取り付け手順を示す説明図である。
【図１１】図９の使用例における植物用支持具の取り付け手順を示す説明図である。
【図１２】図９の使用例における植物用支持具の取り付け手順を示す説明図である。
【図１３】図１の植物用支持具のさらに別の使用例を示す説明図である。
【図１４】房の付け根が割れている状態を示す図である。
【図１５】房を紐やテープ等で枝に吊り上げている状態を示す図である。
【図１６】房を針金で作ったフックにより枝に吊り上げている状態を示す図である。
【図１７】従来のプラスチック製吊りフックを示す図である。
【図１８】従来のプラスチック製吊りフックの取り付け手順を示す図である。
【図１９】従来のプラスチック製吊りフックの取り付け手順を示す図である。
【発明を実施するための形態】
【００１７】
図１は本発明の実施の形態における植物用支持具の斜視図、図２は図１の植物用支持具の使用例を示す説明図、図３は図２の植物用支持具付近の拡大図、図４〜図８は図２の使用例における植物用支持具の取り付け手順を示す説明図である。なお、以下の説明において、図１に示すＸ方向を上下方向、Ｘ方向に対して直交するＹ方向を左右方向、Ｘ方向およびＹ方向に対して直交するＺ方向を前後方向として説明する。
【００１８】
図１に示すように、本実施形態における植物用支持具１は、Ｘ方向に直線状に延びる棒状部２と、棒状部２のＸ方向の一端側に形成され、植物の茎Ｐ８（図２および図３参照。）等に掛けられるフック部３と、棒状部２のＸ方向の他端側に形成され、誘引紐Ｒ１（図２および図３参照。）が取り付けられる紐取付部４とを有する。
【００１９】
紐取付部４は、Ｘ方向に延びる支持部５と、Ｙ方向の両側に張り出す肩部６と、肩部６の両先端部からフック部３側に向かって互いに離れる方向へそれぞれ延びる腕部７と、腕部７のフック部３側の先端部から支持部５へ向かってそれぞれ延びる鉤部８と、棒状部２と支持部５との間に形成された略Ｃ字状の紐通し部９とを有する。なお、肩部６はＹ方向の両側に張り出しているが、その延びる方向はＹ方向から上方へ６０°程度傾斜した方向である。また、腕部７はＸ方向から３０°程度傾斜した方向に延びている。すなわち、肩部６および腕部７により、略Ｍ字状を形成している。
【００２０】
また、左右の腕部７には、それぞれ肩部６の張り出し方向および腕部７の延びる方向に沿う面、すなわち、Ｚ方向の前面および後面に、腕部７の延びる方向に沿う方向へ延びるリブ１０が設けられている。リブ１０の突出高さは、誘引紐Ｒ１の径と同程度である。左右のリブ１０は、それぞれ腕部７の延びる方向に沿ってＸ方向から３０°程度傾斜した方向へ延び、略ハ字状を形成している。なお、リブ１０は腕部７の延びる方向と必ずしも平行である必要はない。また、リブ１０は、左右の腕部７の前面および後面の両面にそれぞれ設けられているが、前面または後面の一方の面に設けられた構成とすることも可能である。
【００２１】
棒状部２は、紐取付部４よりも薄く、肩部６の張り出し方向および腕部７の延びる方向に沿う面、すなわち、Ｚ方向の前面および後面が広い帯板状の部分２０を有する。植物用支持具１はプラスチックで一体成形されており、この薄い帯板状の部分２０により前後方向に曲げやすくなっており、折れにくい。
【００２２】
上記構成の植物用支持具１は、図２および図３に示すように、トマト等の実Ｐ１が複数付いて大きく育ったとき、房Ｐ２が実Ｐ１の重みで垂れ下がって房Ｐ２の付け根から裂けたり折れ曲がったりしないように、房Ｐ２の茎Ｐ８にフック部３を引っ掛けて房Ｐ２を少し持ち上げ、誘引紐Ｒ１に取り付けて使用する。なお、この場合の誘引紐Ｒ１は略水平に張られた誘引線Ｒ２から垂らしたものであり、植物用支持具１の取り付け前においてテンションが掛かっていない。
【００２３】
このテンションが掛かっていない誘引紐Ｒ１への取り付けは、まず、図４に示すように、上から垂れた誘引紐Ｒ１を紐取付部４の一方の肩部６と腕部７と鉤部８とによって囲まれた空間１１Ａ内へ入れ、図５に示すように支持部５を跨いで他方の肩部６と腕部７と鉤部８とによって囲まれた空間１１Ｂへ入れ、図６に示すように上方へ引き上げる（誘引紐Ｒ１’）。そして、図７に示すように、この引き上げた誘引紐Ｒ１’を上から垂れた誘引紐Ｒ１と紐取付部４との間に回して、図８に示すようにリブ１０の下方へ入れる。
【００２４】
これにより、本実施形態における植物用支持具１では、フック部３に引っ掛けられた房Ｐ２の重さにより上から垂れた誘引紐Ｒ１が引っ張られ、リブ１０の下方へ入れた誘引紐Ｒ１’をリブ１０と紐取付部４との間で押さえ付けるので、テンションが掛かっていない誘引紐Ｒ１に取り付けても房Ｐ２の重さによりずり下がることがない。このように、植物用支持具１では、棒状部２の一端側に形成されたフック部３を植物の茎Ｐ８等に引っ掛け、テンションが掛かっていない誘引紐Ｒ１を紐取付部４に取り付けるだけで容易に作業を行うことが可能である。また、この植物用支持具１では、図１５に示したように枝Ｐ５と房Ｐ２との間隔（節間）Ｐ７にバラツキがあっても、最適な位置に取り付けることが可能であるため、房Ｐ２の付け根に負担が掛からない角度に合わせて房Ｐ２を吊り上げることが可能である。
【００２５】
また、本実施形態における植物用支持具１では、棒状部２に紐取付部４よりも薄い帯板状の部分２０を有するので、取り付け作業時にこの帯板状の部分２０を指先で摘まみやすく、この帯板状の部分２０を摘まんだ際には指先が紐取付部４との境界部分に掛かるようになり、誘引紐Ｒ１を取り付ける際に滑りにくく、作業性が向上している。
【００２６】
次に、本実施形態における植物用支持具１の別の使用例について説明する。図９は図１の植物用支持具の別の使用例を示す説明図、図１０〜図１２は図９の使用例における植物用支持具の取り付け手順を示す説明図である。
【００２７】
図９に示す使用例では、誘引線Ｒ２から垂らした誘引紐Ｒ１に対してトマト等の茎Ｐ４を複数の誘引用クリップＣ１，Ｃ２，Ｃ３により留めて吊り上げており、誘引線Ｒ２と誘引用クリップＣ１，Ｃ２，Ｃ３間では、茎Ｐ４の重量により誘引紐Ｒ１が引っ張られ、誘引紐Ｒ１にテンションが掛かった状態である。
【００２８】
このようにテンションが掛かっている誘引紐Ｒ１への取り付けは、まず、図１０に示すように、房Ｐ２の茎Ｐ８にフック部３を引っ掛けて房Ｐ２を少し持ち上げ、図１１に示すように、テンションが掛かっている誘引紐Ｒ１を棒状部２と支持部５との間に形成された略Ｃ字状の紐通し部９に入れ、さらにこの誘引紐Ｒ１を支持部５に巻き付け、図１２に示すように空間１１Ａまたは空間１１Ｂへ入れると、誘引紐Ｒ１のテンションが支持部５に巻き付けられた誘引紐Ｒ１を締め付け、植物用支持具１が固定される。
【００２９】
なお、房Ｐ２の重量がさらに大きい場合には、誘引紐Ｒ１を支持部５に巻き付ける回数を増やすことにより、さらに強く固定することが可能である。また、空間１１Ａ，１１Ｂが、巻き込んだ誘引紐Ｒ１の戻りを防止するため、植物用支持具１を固定した位置で誘引紐Ｒ１を固定することが可能である。すなわち、テンションが掛かっている誘引紐Ｒ１に対しても、最適な位置に取り付けることが可能であるため、房Ｐ２の付け根に負担が掛からない角度に合わせて房Ｐ２を吊り上げることが可能である。
【００３０】
図１３は図１の植物用支持具１のさらに別の使用例を示す説明図である。実Ｐ１を複数付けている房Ｐ２であって、茎Ｐ８の１ヶ所で支えられないくらい長い房Ｐ２に対しては、図１３に示すように複数の植物用支持具１を多段掛けして用いることが可能である。複数の植物用支持具１の多段掛けは、茎Ｐ８の複数箇所にそれぞれフック部３を掛けた複数の植物用支持具１の一方の植物用支持具１の支持部５をもう一方の紐通し部９に掛けることにより行う。これにより、茎Ｐ８近くの実Ｐ１の付け根が割れたり、折れ曲がったりするのを防止するだけでなく、房Ｐ２の途中で折れ曲がらないように支えることが可能となる。
【産業上の利用可能性】
【００３１】
本発明の植物用支持具は、トマト、キュウリ、ナス、メロン、花類や果樹等の植物の茎、苗、蔓や幹等が成長する際に、茎等が自重で地面側に垂れないように支持する支持具として有用である。特に、誘引紐のテンションの有無に関わらず、容易に取り付けることが可能であるため、取り付けに力や熟練は必要なく、誰でも作業することが可能な植物用支持具として好適である。
【符号の説明】
【００３２】
１  植物用支持具
２  棒状部
３  フック部
４  紐取付部
５  支持部
６  肩部
７  腕部
８  鉤部
９  紐通し部
１０  リブ
【図１】
0006444931.tif 000002
【図２】
0006444931.tif 000003
【図３】
0006444931.tif 000004
【図４】
0006444931.tif 000005
【図５】
0006444931.tif 000006
【図６】
0006444931.tif 000007
【図７】
0006444931.tif 000008
【図８】
0006444931.tif 000009
【図９】
0006444931.tif 000010
【図１０】
0006444931.tif 000011
【図１１】
0006444931.tif 000012
【図１２】
0006444931.tif 000013
【図１３】
0006444931.tif 000014
【図１４】
0006444931.tif 000015
【図１５】
0006444931.tif 000016
【図１６】
0006444931.tif 000017
【図１７】
0006444931.tif 000018
【図１８】
0006444931.tif 000019
【図１９】
0006444931.tif 000020